(57)【特許請求の範囲】
【請求項１】
電子機器を傾斜させて設置する脚ユニットであって、
押圧および回動可能な操作部と、
前記電子機器を支持し、傾斜角度が調整されることで前記電子機器を傾斜させて設置する脚として動作する支持脚と、
第１ねじ部を備え、前記操作部の回動に従動する回動部と、
前記支持脚の傾斜角度の調整に伴って移動し、前記第１ねじ部と噛み合う第２ねじ部を備える移動部と、を有し、
前記支持脚は、前記操作部の押圧により、前記第１ねじ部と前記第２ねじ部との噛み合いが解除されて前記移動部が移動することで傾斜角度が調整可能とされ、前記操作部の回動軸を中心とした回動により、前記第１ねじ部と前記第２ねじ部とが噛み合って前記移動部が移動することで前記傾斜角度の微調整が可能であり、
前記回動軸は、前記押圧の方向と一致することを特徴とする脚ユニット。
【請求項２】
請求項１に記載の脚ユニットであって、
前記移動部及び前記支持脚をそれぞれ回動自在に連結する支持アームと、
前記回動部と前記支持脚の一端部とをそれぞれ回動自在に支持し、且つ前記移動部を移動自在に支持する支持部と、
前記操作部に従動し、前記第１ねじ部と前記第２ねじ部との噛み合い及び噛み合いの解除の切り替えを行い、前記支持部を移動自在に支持する切替部と、を有することを特徴とする脚ユニット。
【請求項３】
請求項１または請求項２に記載の脚ユニットであって、
前記支持脚は、前記回動部の回動軸と略水平となることを特徴とする脚ユニット。
【請求項４】
請求項１〜３のいずれか一項に記載の脚ユニットであって、
前記操作部の回動軸と前記回動部の回動軸とが略一致していることを特徴とする脚ユニット。
【請求項５】
投写レンズを介して画像を投写するプロジェクタであって、
前記プロジェクタの外装を構成する筐体を有し、
前記プロジェクタが設置される設置面と対向する前記筐体の底面側に、請求項１〜請求項４のいずれか一項に記載の脚ユニットを備えることを特徴とするプロジェクタ。
【請求項６】
請求項５に記載のプロジェクタであって、
前記筐体の前面部に、前記脚ユニットの有する前記操作部が突設されていることを特徴とするプロジェクタ。
【発明の詳細な説明】
【技術分野】
【０００１】
本発明は、脚ユニット、およびプロジェクタに関する。
【背景技術】
【０００２】
従来、電子機器を机上面などの設置面に設置する際、設置面に対して傾斜させて設置して使用するものがある。その電子機器として、例えば、投写レンズを介して画像を投写するプロジェクタを挙げることができる。プロジェクタは、設置面に対して傾斜させて設置することにより、投写された画像を見易い位置に調整することができる。このようなプロジェクタには、傾斜角度（投写角度）を調整する脚ユニットがプロジェクタ本体の投写側に設置されている。
【０００３】
特許文献１には、プロジェクタの本体を支持するために本体から突出して設けられる脚部（脚ユニット）を備え、脚部の突出量を段階的に調整する第１の調整手段と、脚部の突出量を任意に微調整する第２の調整手段とが設けられ、第１の調整手段により、本体の底面および側面の境界部分に形成された切欠部分に設けられるレバーを操作することで係止片によるロックを解除することにより、脚部を上下に移動して投写角度を調整し、また、第２の調整手段により、設置面近くに設置される部材となる操作部を回動することにより、脚部の突出量を微調整することで投写角度を微調整することが開示されている。
【０００４】
すなわち、特許文献１では、脚部に対して、レバーを操作して投写角度を調整し、次に、操作部を操作（回動）して投写角度を微調整することが開示されている。
【０００５】
【特許文献１】特開２００６−３３０７５７号公報
【発明の開示】
【発明が解決しようとする課題】
【０００６】
特許文献１で開示される脚部（脚ユニット）を電子機器に適用して傾斜角度を調整する際、または、特許文献１で開示されるようにプロジェクタの投写角度を調整する際、調整操作として、レバーによる操作と操作部による操作をそれぞれ行う必要があり、異なる操作部材を操作することによる調整操作の効率性に課題があった。また、微調整を行う操作部は、設置面近くに設置される部材として構成されるため、ユーザが指先で操作し難いという課題があった。また、脚部は、プロジェクタの厚さ方向に設置されるため、脚部の突出量はプロジェクタの厚さで制限される。従って、薄型のプロジェクタに脚部を使用する場合には、脚部の突出量（投写角度）が確保されなくなるという課題があった。
【課題を解決するための手段】
【０００７】
本発明は、上述した課題の少なくとも一部を解決するためになされたものであり、以下の形態または適用例として実現することが可能である。
【０００８】
（適用例１）本適用例に係る脚ユニットは、電子機器を傾斜させて設置するための脚ユニットであって、押圧および回動可能な操作部と、電子機器本体を支持し、傾斜させて設置する際の脚として動作する支持脚と、を有し、操作部の押圧により、ねじの噛み合いを解除することで、支持脚の傾斜角度調整を行い、また、操作部の回動により、ねじを噛み合わせることで、支持脚の傾斜角度の微調整を行うことを特徴とする。
【０００９】
このような脚ユニットによると、操作部の押圧により、ねじの噛み合いを解除することで、支持脚の傾斜角度調整を行う。また、操作部の回動により、ねじを噛み合わせることで、支持脚の傾斜角度の微調整を行う。従って、脚ユニットの支持脚に対して、傾斜角度調整と、傾斜角度の微調整とを、押圧または回動を行う操作部により、同一の操作部材で操作することが可能となる。従って、調整操作の効率性を向上させた脚ユニットが実現できる。
【００１０】
（適用例２）上記の脚ユニットであって、操作部の回動に従動して回動し、雄ねじが螺刻された回動部と、雄ねじに噛み合う雌ねじが螺刻され、回動部の回動により、移動自在となる移動部と、移動部と一端部が回動自在に連結される支持アームと、支持アームの他端部と回動自在に連結される支持脚と、回動部と支持脚の一端部とをそれぞれ回動自在に支持し、また、移動部を移動自在に支持する支持部と、操作部の押圧に従動し、雄ねじと雌ねじとの噛み合いの解除および非解除の切り替えを行い、支持部を移動自在に支持する切替部と、を有し、操作部の押圧により、切替部は回動部の雄ねじと移動部の雌ねじとの噛み合いを解除し、移動部が支持部に支持されて移動自在となることで支持脚の傾斜角度調整を行い、また、操作部の回動により、切替部は回動部の雄ねじと移動部の雌ねじとを噛み合わせ、移動部が移動自在となることで支持脚の傾斜角度の微調整を行うことが好ましい。
【００１１】
このような脚ユニットによると、上述したと同様に、調整操作の効率性を向上させた脚ユニットが実現できる。また、脚ユニットは、上述した操作部と、回動部と、移動部と、支持アームと、支持脚と、切替部と、支持部と、を有して構成されているため、無駄を省いた構成で脚ユニットを実現でき、脚ユニットを小型化することができる。また、脚ユニットは、操作部を押圧することにより、切替部が回動部の雄ねじと移動部の雌ねじとの噛み合いを解除する。そして、移動部が支持部に支持されて移動自在となる。そして、移動部の移動により、移動部に連結する支持アームが回動し、支持アームに連結する支持脚が回動することにより、容易に支持脚の傾斜角度調整が行える。また、脚ユニットは、操作部を回動することにより、切替部が回動部の雄ねじと移動部の雌ねじとを噛み合わせる（非解除する）ため、操作部の回動に従動して回動部が回動することにより移動部が移動する。そして、移動部に連結する支持アームが回動し、支持アームに連結する支持脚が回動することにより、支持脚の傾斜角度の微調整が行える。従って、操作部の押圧または回動により、効率的な傾斜角度の調整が行える。
【００１２】
（適用例３）上記の脚ユニットであって、支持脚は、回動部の回動軸と略水平となることが好ましい。
【００１３】
このような脚ユニットによると、支持脚は、回動部の回動軸と略水平となることにより、回動部に対して傾斜角度が略０°とすることができ、コンパクトな脚ユニットを実現できる。また、このような脚ユニットを、例えば電子機器の底面に回動部の回動軸が略平行となるように設置した場合には、電子機器の底面に対して支持脚を平行（傾斜角度が略０°）とすることができ、電子機器をコンパクトな形態で保管することができる。また、上記形態とすることにより、電子機器の高さ方向のスペースを抑えることができるため、電子機器本体もコンパクトにすることができる。
【００１４】
（適用例４）上記の脚ユニットであって、操作部の回動軸と回動部の回動軸とが略一致していることが好ましい。
【００１５】
このような脚ユニットによると、操作部の回動軸と回動部の回動軸とが略一致しているため、操作部での操作を回動部や切替部に伝達する構成を簡易にすることができるため、脚ユニットを更にコンパクトに構成できる。
【００１６】
（適用例５）本適用例に係るプロジェクタは、投写レンズを介して画像を投写するプロジェクタであって、プロジェクタの外装を構成する筐体を有し、プロジェクタが設置される設置面と対向する筐体の底面側に、上述したいずれかの適用例に記載の脚ユニットを備えることを特徴とする。
【００１７】
このようなプロジェクタによると、プロジェクタが設置される設置面と対向する筐体の底面側に脚ユニットを備えることにより、プロジェクタで画像を投写する際に、傾斜角度調整および傾斜角度の微調整を行うことにより、上述したと同様の作用・効果を奏して投写角度を調整できる。特に、突出量（投写角度）がプロジェクタの厚さに制限されず、所望の投写角度を確保できるプロジェクタを実現できる。
【００１８】
（適用例６）上記のプロジェクタであって、筐体の前面部に、脚ユニットの有する操作部が突設されていることが好ましい。
【００１９】
このようなプロジェクタによると、筐体の前面部に、操作部が突設されることにより、ユーザの指先による操作部の操作を容易にさせることができる。特に、投写角度の微調整を行う際の、操作部を回動させる操作に対しては、従来に比べて格段に操作し易くさせることができる。従って、投写角度を調整する際に、調整操作の効率性を向上させると共に、指先による操作性を向上させるプロジェクタを実現できる。
【発明を実施するための最良の形態】
【００２０】
以下、実施形態を図面に基づいて説明する。
図１は、実施形態に係る脚ユニットをプロジェクタに設置した形態を示す斜視図であり、図１（ａ）は、脚ユニットを動作させて投写角度調整を行った状態を示す斜視図であり、図１（ｂ）は、図１（ａ）の側面図であり、図１（ｃ）は、脚ユニットを動作させて投写角度を略０°とした状態を示す斜視図である。
【００２１】
プロジェクタ１０は、光源から射出された光束を、液晶パネルやマイクロミラー等の光変調素子により画像信号に応じて変調し、変調された画像光をスクリーン等に投写する電子機器である。図１に示すように、プロジェクタ１０は、略直方体形状をしており、合成樹脂で形成された筐体１１で外装が構成されている。また、筐体１１の前面１１ｃには、投写レンズ１２が突出して設置されている。筐体１１の上面１１ａには、プロジェクタ１０の動作を指示する操作スイッチ（図示省略）などが設置されている。筐体１１の背面１１ｄには、外部の装置と信号の授受を行うインターフェース部（図示省略）が設置されている。
【００２２】
また、プロジェクタ１０の底面１１ｂには、プロジェクタ１０の投写角度Ｂを調整する脚ユニット２が底面１１ｂの前面１１ｃ側に設置されている。なお、脚ユニット２は、略直方体形状をしており、プロジェクタ１０の底面１１ｂの内面側に、後述する支持部５０を固定して設置されている。また、脚ユニット２は、長手方向の先端部に投写角度Ｂを調整するための操作部２０としての操作キー２１が設置されている。また、操作キー２１は、筐体１１の前面１１ｃの外面側で略中央に突出して設置されている。詳細には、操作キー２１は、鍔部２３が筐体１１の内面側に案内され、操作キートップ２２が前面１１ｃから突出する形態となる。また、筐体１１の底面１１ｂの背面１１ｄ側には、２つの固定された固定脚１３が設置されている。
【００２３】
図１（ａ）、図１（ｂ）に示すように、本実施形態の場合、プロジェクタ１０は、２つの固定された固定脚１３と、１つの脚ユニット２とで、プロジェクタ１０を支持する形態となる。また、操作キー２１を操作して、脚ユニット２を動作させ、傾斜角度Ａ（回動部３０（図２参照）の回動軸３０Ａと支持脚９０との成す角度）を調整することにより、投写角度Ｂを調整することができる。なお、脚ユニット２を構成する支持脚９０は、支持脚カバー９５に覆われて底面１１ｂと対向する設置面Ｓと接している。
【００２４】
なお、投写角度Ｂとは、２つの固定脚１３と脚ユニット２の支持脚カバー９５とが設置面Ｓに当接する接点で形成される平面と、投写レンズ１２を介して投写される光学像（画像）の投写光軸Ｌとの成す角度としている。また、本実施形態では投写光軸Ｌと脚ユニット２を構成する回動部３０の回動軸３０Ａとは、略平行に設置している。また、筐体１１の底面１１ｂも概ね回動軸３０Ａと平行としている。
【００２５】
図１（ｃ）に示すように、脚ユニット２を動作させて傾斜角度Ａを略０°とした状態の場合、投写角度Ｂも略０°となる。この状態が、脚ユニット２を最もコンパクトな形態にさせる状態であり、プロジェクタ１０をコンパクトな形態で保管することができる。
【００２６】
次に、図１を参照し、傾斜角度Ａが略０°の状態（図１（ｃ）に示す状態）が、プロジェクタ１０の投写角度調整を開始する初期状態として、投写角度Ｂを調整する際の手順を簡単に説明する。
最初に、ユーザは、プロジェクタ１０の電源を入力して、投写レンズ１２を介して投写を行わせる。そして、ユーザは、プロジェクタ１０の前面１１ｃ側を片手で把持して所望する投写角度Ｂに近づくように持ち上げる。続いて、ユーザは、もう一方の手（指先）で操作キー２１を押圧する。これにより、脚ユニット２の支持脚９０（支持脚カバー９５含め）が自重により下側に下降を開始し、設置面Ｓに当接して下降を停止する。この状態で、ユーザが押圧を解除する（指を放す）ことにより、脚ユニット２は、この状態を維持する。この動作により、傾斜角度Ａが調整され、大まかな投写角度Ｂが調整されることになる。次に、ユーザは、操作キー２１を回動する。ユーザは、操作キー２１を回動することにより、支持脚９０に上下動を行わせることで、傾斜角度Ａの微調整を行う。この動作に対応して、投写角度Ｂの微調整が行われ、所望する投写角度Ｂに精度よく合わせることができる。
【００２７】
図２は、脚ユニットの斜視図であり、図２（ａ）は、支持脚を閉じた状態を示す図であり、図２（ｂ）は、支持脚を開いた状態を示す図である。図３は、脚ユニットの分解斜視図である。なお、以降の説明において、適宜、傾斜角度Ａ、投写角度Ｂを使用する。
【００２８】
図２、図３を参照して、脚ユニット２を外観的に説明する。
脚ユニット２は、押圧や回動を行って、支持脚９０の開く角度（傾斜角度Ａ）を調整する操作部２０と、プロジェクタ１０を支持し、脚として動作する支持脚９０を有する。なお、支持脚９０は、支持脚カバー９５で覆われており、プロジェクタ１０を机上などの設置面Ｓに載置した場合には、この支持脚カバー９５が設置面Ｓと当接する。また、脚ユニット２は、雄ねじが螺刻された雄ねじ部３１１（図３参照）を有する回動部３０と、雄ねじに噛み合う雌ねじが螺刻された雌ねじ部６２（図３参照）を有して回動部３０が回動することにより雄ねじ部３１１に噛み合って移動自在となる移動部６０（図３参照）とを有する。なお、脚ユニット２は、操作部２０の回動に従動して回動部３０が回動する。
【００２９】
また、脚ユニット２は、移動部６０と一端部が回動自在に連結される支持アーム７０を有する。なお、支持脚９０は、支持アーム７０の他端部と回動自在に連結される。また、脚ユニット２は、回動部３０と支持脚９０の一端部とをそれぞれ回動自在に支持し、また、移動部６０を移動自在に支持する支持部５０を有する。また、脚ユニット２は、操作部２０の押圧に従動し、雄ねじ部３１１と雌ねじ部６２との噛み合いの解除および非解除の切り替えを行い、また、支持部５０を移動自在に支持する切替部８０を有する。
【００３０】
図２（ａ）の状態で、操作部２０を押圧すると、切替部８０は回動部３０の雄ねじ部３１１と移動部６０の雌ねじ部６２（図２（ｂ））との噛み合いを解除し、移動部６０が支持部５０に支持されて移動自在となることで、図２（ｂ）に示すように、支持脚９０は自重により下降する。これにより、支持脚９０の傾斜角度Ａの大まかな調整を行う。また、操作部２０を回動すると、切替部８０は回動部３０の雄ねじ部３１１と移動部６０の雌ねじ部６２との噛み合いを非解除し、移動部６０は回動部３０の雄ねじ部３１１に噛み合い移動自在となることで支持脚９０の傾斜角度Ａの微調整を行う。なお、雄ねじ部３１１と雌ねじ部６２との噛み合いを非解除するとは、雄ねじ部３１１と雌ねじ部６２とを噛み合わせることと同じ意味として使用している。
【００３１】
次に、図３を参照して、脚ユニット２の詳細な構成を説明する。
最初に、操作部２０に関して説明する。
操作部２０は、本実施形態では、操作キー２１として構成されている。この操作キー２１は、内側が空洞の円柱形状をなす操作キートップ２２と、その端部に鍔部２３を有して構成されている。また、操作キートップ２２の側面には、後述する回動部３０の係合突起３２１１と係合される略矩形状の案内孔２４が操作キー２１の回動軸２１Ａと対象に２つ形成されている。
【００３２】
次に、回動部３０に関して説明する。
回動部３０は、円筒形状をなし、その外面に雄ねじが螺刻された雄ねじ部３１１を有する回動部本体３１と、回動部３０の一端部に形成され、内側が空洞で、操作キートップ２２の内側の径と略同一となる外周径を有する操作キー用固定部３２と、回動部本体３１と操作キー用固定部３２との間に形成される後述する切替部８０を受ける切替部用案内部３３とで構成されている。
【００３３】
また、回動部３０の他端部となる回動部本体３１の端部には、回動部３０を支持部５０に回動自在に係合する第２係合部３１３が、回動部本体３１の外面側に突出する係合突起３１３１を有して形成されている。なお、この第２係合部３１３は、回動軸３０Ａに対象に２つ形成されている。また、回動部本体３１のもう一方の端部には、鍔状の形状を有し、回動部３０を支持部５０に回動自在に係合する第１係合部３１２が形成されている。また、回動部３０の操作キー用固定部３２には、操作キー２１の案内孔２４に係合する操作キー係合部３２１が、操作キー用固定部３２の外面側に突出する係合突起３２１１を有して２つ形成されている。
【００３４】
次に、移動部６０に関して説明する。
移動部６０は、略直方体形状の移動部本体６１で構成され、移動部本体６１の上面には、回動部３０の回動部本体３１に螺刻されて形成された雄ねじ部３１１と噛み合わせるために、雌ねじが螺刻されて形成され凹形状となる雌ねじ部６２を有している。また、移動部本体６１の両側面には、移動部６０が支持部５０を構成する後述する第１支持枠５１内部をスライドするためのスライド用溝６３が凹形状に形成されている。また、２つのスライド用溝６３の下方で、移動部本体６１の底面には、後述する支持アーム７０を回動自在に支持する支持アーム用回動片６４が立設して形成され、その中心に回動孔６４１が形成されている。
【００３５】
次に、支持アーム７０に関して説明する。
支持アーム７０は、板状に形成される支持アーム本体７１で構成され、その両端部に円柱形状に形成される第１回動部７２と第２回動部７３とを有している。また、第１回動部７２の両端部には、移動部６０の回動孔６４１に回動自在に係合する回動突起７２１が形成されている。また、同様に、第２回動部７３の両端部には、後述する支持脚９０の回動孔９３１に回動自在に係合する回動突起７３１が形成されている。
【００３６】
次に、切替部８０に関して説明する。
切替部８０は、操作キー２１を押圧した場合に鍔部２３と当接する受面８１１を有する板状の切替部本体８１と、切替部本体８１の下方の２つコーナ部から、斜め後方に立設する第１アーム８２と、第１アーム８２の先端から曲折して立設する第２アーム８３とから構成される。また、切替部本体８１には、受面８１１の逆側となる面に、後述するバネ４０を案内するバネ案内突起８１３が立設されている。また、切替部本体８１には、その下側の側面部に回動部３０の切替部用案内部３３に当接する円形に切りかかれた当て面部８１２が形成されている。また、第１アーム８２の先端部には、後述する支持部５０を構成する第２支持枠５２の支軸用孔５２８に回動自在に係合する支軸８２１が立設されている。また、第２アーム８３の先端部には、後述する支持部５０を構成する第１支持枠５１の案内溝５１５に係合し、切替部用案内壁５１４に規制される案内溝５１５方向で移動自在となる突起８３１が立設されている。
【００３７】
次に、支持部５０に関して説明する。
支持部５０は、第１支持枠５１と第２支持枠５２とで構成されている。また、支持部５０は、第１支持枠５１を第２支持枠５２の内部に挿入する構成となっている。
【００３８】
第１支持枠５１は、略四角柱の筒状に形成される第１支持枠本体５１１で構成されている。また、第１支持枠５１は、第１支持枠本体５１１の一方の端部の両側面に、後述する第２支持枠５２の第１支持枠用スライド案内部５２３に案内されてスライドするスライド用突起５１２が立設されている。
【００３９】
また、第１支持枠本体５１１の上面と両側面の略中央には、上面から両側面に渡って、切替部８０の突起８３１を案内する切替部用案内壁５１４が形成され、切替部用案内壁５１４と第１支持枠本体５１１の両側面とで、案内溝５１５が構成されている。また、第１支持枠本体５１１の中空となる内部において、移動部６０のスライド用溝６３を案内する移動部用スライド案内突起５１３が、両側面の内面側で、第１支持枠本体５１１の両端部に渡って立設されている。また、第１支持枠本体５１１の底面には、支持アーム７０を移動自在とする孔部５１６が形成されている。
【００４０】
第２支持枠５２は、略矩形状の箱状に形成される第２支持枠本体５２１で構成されている。第２支持枠本体５２１の上部は開口され、第１支持枠５１を挿入する第１支持枠用挿入口５２２が形成されている。第２支持枠本体５２１の両側面の内面側の一方の端部には、第１支持枠５１のスライド用突起５１２を案内する第１支持枠用スライド案内部５２３が立設されている。また、第２支持枠本体５２１の両側面の内面側の他方の端部には、切替部８０の支軸８２１を受ける支軸受片５２７が形成され、その中央に支軸８２１を回動自在に係合する支軸用孔５２８が形成されている。
【００４１】
また、第２支持枠本体５２１の底面には、孔部５２４が形成されている。この孔部５２４は、支持アーム７０を移動自在とする移動用孔５２５と、その略中央部に支持アーム７０の第２回動部７３および切替部８０の第２アーム８３を組み立てる際に挿通し、移動用孔５２５の幅より大きい幅に形成される組立用孔５２６とで構成されている。
【００４２】
また、第２支持枠本体５２１の長手方向の端部となる一方の側面には、回動部３０の回動部本体３１を挿通する回動部用第１受孔５２９が形成されている。また、その対面となる長手方向の他方の側面には、同様に、回動部本体３１を挿通する回動部用第２受孔５３０が形成されている。回動部用第１受孔５２９が形成される側面の両端側には、切替部８０の第１アーム８２を移動自在とする第１アーム用逃げ溝５３１が形成されている。また、回動部用第１受孔５２９が形成された側面の上部には、段違いの面に、バネ４０を案内するバネ案内突起５３２が面方向に立設して形成されている。また、第２支持枠本体５２１の回動部用第２受孔５３０が形成される側面には、後述する支持脚９０の第１回動片９２を回動自在に固定する第１回動片用受部５３６を有する支持脚固定部５３５が形成されている。
【００４３】
次に、支持脚９０に関して説明する。
支持脚９０は、平面視矩形状の板状の金属で形成される支持脚本体９１で構成されている。この支持脚本体９１の一方の端部で両側面には、略直角に起立して形成された第１回動片９２が形成されている。また、この第１回動片９２の中央部には、第２支持枠５２の第１回動片用受部５３６に回動自在に係合される回動孔９２１が形成されている。また、支持脚本体９１の略中央の側面から略直角に起立して形成された第２回動片９３が形成されている。また、この第２回動片９３の中央部には、支持アーム７０の回動突起７３１が回動自在に係合される回動孔９３１が形成されている。
【００４４】
次に、支持脚カバー９５に関して説明する。
支持脚カバー９５は、支持脚９０を内部に収容して固定する箱状のカバー本体９６で構成されている。また、カバー本体９６には、支持脚９０を収容した場合、支持脚９０の第１回動片９２に対応する部位に、第１回動片９２を覆う形状で支持脚回動片用カバー９７が立設して形成されている。
【００４５】
次に、図３を参照して、脚ユニット２の組立方法を説明する。
最初に、回動部３０への操作キー２１の組み立てを行う。
操作キー２１を、回動部３０の操作キー用固定部３２に組み立てるには、操作キー係合部３２１の係合突起３２１１に操作キー２１の案内孔２４が係合するように、操作キートップ２２の内面側を操作キー用固定部３２の外面に合わせて挿入することでなされる。また、本実施形態では、操作キー２１の回動軸２１Ａと回動部３０の回動軸３０Ａとは、略一致している。
【００４６】
操作キー係合部３２１の係合突起３２１１に操作キー２１の案内孔２４が係合した場合、案内孔２４と係合突起３２１１との隙間の関係において、回動軸２１Ａ方向には隙間を有しているため、操作キートップ２２を押圧すると、隙間分だけ回動軸２１Ａ方向に移動可能となる。これは、後述する、操作キー２１を押圧した場合に切替部８０を動作させるためである。また、案内孔２４と係合突起３２１１との隙間の関係において、回動軸２１Ａに垂直となる方向には隙間を有していないため、操作キートップ２２を回動することにより、回動部３０が従動して回動する。
【００４７】
次に、第１支持枠５１への移動部６０の組み立てを行う。
移動部６０を第１支持枠５１に組み立てるには、第１支持枠５１の２つの移動部用スライド案内突起５１３に移動部６０の２つのスライド用溝６３が係合するように、第１支持枠５１の端部側から挿入することでなされる。これにより、移動部６０は、第１支持枠５１内部で移動部用スライド案内突起５１３に係合してスライド（移動）自在となる。
【００４８】
上述した状態で、次に、移動部６０への支持アーム７０の組み立てを行う。
第１支持枠５１の移動部用スライド案内突起５１３に移動部６０のスライド用溝６３を係合した後、支持アーム７０の第１回動部７２を、第１支持枠５１の孔部５１６から第１支持枠５１内部に挿入し、第１回動部７２の回動突起７２１を移動部６０の回動孔６４１に挿入し係合させる。これにより、支持アーム７０は、移動部６０に対して回動自在となる。
【００４９】
上述した状態で、次に、第２支持枠５２への第１支持枠５１の組み立てを行う。
第１支持枠５１と、第１支持枠５１に移動自在に組み立てられた移動部６０と、移動部６０に回動自在に組み立てられた支持アーム７０とにおいて、支持アーム７０の第２回動部７３を、第２支持枠５２の第１支持枠用挿入口５２２から挿入し、底面に形成された組立用孔５２６に挿通させる。続けて、スライド用突起５１２が、第１支持枠用スライド案内部５２３に係合するように、第１支持枠５１を第１支持枠用挿入口５２２から第２支持枠５２内部に挿入する。
【００５０】
これにより、支持アーム７０は、支持アーム本体７１の一部と第２回動部７３が組立用孔５２６から突出した形態で、第１支持枠５１が第２支持枠５２の内部に収容される。そして、第１支持枠５１は、第２支持枠５２に対して、第１支持枠用スライド案内部５２３に沿って上下方向にスライド（移動）自在となる。なお、第１支持枠５１が第２支持枠５２に対して移動する際、詳細には、第１支持枠用スライド案内部５２３と、第２支持枠５２の回動部用第１受孔５２９が形成される側の内部側面（図示省略）とを摺動しながら移動することになる。
【００５１】
上述した状態で、次に、第２支持枠５２への回動部３０の組み立てを行う。
操作キー２１が係合された回動部３０の第２係合部３１３を第２支持枠５２の回動部用第１受孔５２９に挿通する。このとき、第２係合部３１３の係合突起３１３１が回動部用第１受孔５２９の外周に当接するが、第２係合部３１３のばね性により、第２係合部３１３が撓んで係合突起３１３１が回動部用第１受孔５２９に挿通する。そして、第２支持枠５２に収容する第１支持枠５１の端部から、移動部６０の雌ねじ部６２の上方となる第１支持枠５１の内部へと回動部３０（第２係合部３１３）を挿入して行く。このとき、第１支持枠５１は、第２支持枠５２の内側底面に当接しているため、回動部本体３１に形成される雄ねじ部３１１が移動部６０の雌ねじ部６２と噛み合うことはない。
【００５２】
このように挿入を続けて、第１支持枠５１内を挿通した後、回動部３０の第２係合部３１３を回動部用第２受孔５３０に挿通させる。この場合も第２係合部３１３が撓んで係合突起３１３１が回動部用第２受孔５３０に挿通する。これにより、第２支持枠５２への回動部３０の組み立てが完了し、第２支持枠５２は、回動部用第１受孔５２９と回動部用第２受孔５３０とが、回動部３０の第１係合部３１２と、第２係合部３１３の係合突起３１３１とに挟まれる形態となる。そのため、回動部３０は、回動部３０の回動軸３０Ａ方向への移動は制限され、回動部用第１受孔５２９と回動部用第２受孔５３０とに支持されて回動自在となる。
【００５３】
上述した状態で、次に、第２支持枠５２および第１支持枠５１への切替部８０の組み立てを行う。
なお、この組み立てに先立ち、バネ４０の一方の端部を第２支持枠５２のバネ案内突起５３２に挿入する。このバネ４０は、金属棒材を螺旋状に巻いた圧縮コイルばねとして形成されている。その後、切替部８０の第２アーム８３を第２支持枠５２の組立用孔５２６から内部に挿入し、第１支持枠５１の切替部用案内壁５１４により形成される案内溝５１５に突起８３１を係合する。この組み立てと併せて、第１アーム８２を第２支持枠５２の第１アーム用逃げ溝５３１内に挿入させながら支軸８２１を支軸受片５２７の支軸用孔５２８に係合させる。このとき、バネ案内突起５３２に挿入されたバネ４０の他方の端部を切替部８０のバネ案内突起８１３に挿入させる。これにより、切替部８０の当て面部８１２は、回動部３０の切替部用案内部３３の上面側に当接される形態となる。これにより、切替部８０は、支軸用孔５２８に回動自在に支持され、支軸８２１を中心に突起８３１が移動することで、第１支持枠５１が上述したように上下方向に移動自在となる。
【００５４】
上述した状態で、次に、第２支持枠５２への支持脚９０の組み立てを行う。
支持脚９０の第１回動片９２を第２支持枠５２の第１回動片用受部５３６に位置させ、固定用ねじ４５を回動孔９２１から挿入する。この場合、第１回動片用受部５３６の回動孔９２１に対応する部位には、回動孔９２１と同様の孔（図示省略）が形成されている。そのため、一方の回動孔９２１から挿入した固定用ねじ４５は、第１回動片用受部５３６に形成される孔を挿通した後、他方の回動孔９２１を挿通する。その状態で固定用ねじ４５を固定用ナット４６と螺合することにより、支持脚９０を第１回動片用受部５３６（詳細には、固定用ねじ４５）に対して回動自在に固定する。
【００５５】
上述した状態で、次に、支持脚９０への支持アーム７０の組み立てを行う。
この組み立ては、支持アーム７０の第２回動部７３に形成される回動突起７３１の一方を支持脚９０の第２回動片９３に形成される回動孔９３１に挿入し係合することでなされる。これにより、支持脚９０は、固定用ねじ４５に対して回動自在に固定されると共に、支持アーム７０に対して回動自在となる。
【００５６】
上述した状態で、最後に、支持脚９０への支持脚カバー９５の組み立てを行う。
この組み立ては、支持脚９０の支持脚本体９１の底面側を支持脚カバー９５のカバー本体９６内部の底面に当接させて、接着により組み立てられる。これにより、支持脚９０は支持脚カバー９５に収容され、外観的に支持脚９０を覆う形態となる。
【００５７】
以上の組み立てにより、図２に示す脚ユニット２が完成する。なお、脚ユニット２をプロジェクタ１０の底面１１ｂに固定する固定部を第２支持枠５２に構成し、ねじ止めで固定しているが、図示を省略している。
図４は、回動部の雄ねじ部と移動部の雌ねじ部とが噛み合った状態を示す図であり、図４（ａ）は、側面図であり、図４（ｂ）は、側面断面図であり、図４（ｃ）は、回動部と移動部との噛み合い部分を回動部の回動軸に垂直に切断した断面図である。図５は、回動部の雄ねじ部と移動部の雌ねじ部とが噛み合った状態の主要部の状態を示す斜視図であり、図５（ａ）は、回動部、第１支持枠、切替部、支持アーム、支持脚などを示す斜視図であり、図５（ｂ）は、回動部、移動部、支持アーム、支持脚などを示す斜視図である。図６は、回動部の雄ねじ部と移動部の雌ねじ部との噛み合いを解除した状態を示す図であり、図６（ａ）は、側面図であり、図６（ｂ）は、側面断面図であり、図６（ｃ）は、回動部と移動部との噛み合いを解除した部分を回動部の回動軸に垂直に切断した断面図である。図７は、回動部の雄ねじ部と移動部の雌ねじ部との噛み合いを解除した状態の主要部の状態を示す斜視図であり、図７（ａ）は、回動部、第１支持枠、切替部、支持アーム、支持脚などを示す斜視図であり、図７（ｂ）は、回動部、移動部、支持アーム、支持脚などを示す斜視図である。
【００５８】
なお、図４は、回動部３０の雄ねじ部３１１と移動部６０の雌ねじ部６２が噛み合った状態を示す図であると共に、脚ユニット２を閉じ、傾斜角度Ａが略０°（投写角度Ｂが略０°）の場合の図として図示している。また、図５、図７においては、脚ユニット２の構造の理解を補助するように、構成部を適宜省いた斜視図として、図中に付記した符号も適宜省いている。
【００５９】
図４に示すように、支持脚９０は、脚ユニット２の傾斜角度Ａが略０°の場合においては、回動部３０の回動軸３０Ａと略水平となっている。
図４、図５を参照して、回動部３０の雄ねじ部３１１と移動部６０の雌ねじ部６２とが噛み合う動作に関して説明する。
図４に示すように、バネ４０の反発力により、切替部８０の切替部本体８１が押圧されて、受面８１１は操作キー２１の鍔部２３に当接して押圧する。押圧された操作キー２１は、操作キー２１の案内孔２４と、案内孔２４に係合する係合突起３２１１との隙間分だけ図面左側に移動して止まる。なお、操作キー２１は、操作キー２１を押圧しない限り、常にバネ４０により押圧され、図面右側に移動している状態となる。
【００６０】
また、切替部８０の切替部本体８１がバネ４０の反発力により、押圧されることにより、切替部８０の突起８３１は、支軸８２１を支点として図中矢印ａ方向（図面上方）に位置することになる。この動作に従動して第１支持枠５１は図中矢印ｂ方向（図面上方）に移動する。この第１支持枠５１の図面上方への移動により、第１支持枠５１に収容された移動部６０も図中矢印ｃ方向（図面上方）に移動する。なお、回動部３０は、第２支持枠５２の回動部用第１受孔５２９、回動部用第２受孔５３０により支持固定されているため、回動部３０の回動部本体３１の下側に位置する移動部６０が上方に移動することにより、回動部本体３１の雄ねじ部３１１と移動部６０の雌ねじ部６２とが噛み合うことになる。なお、雄ねじ部３１１と雌ねじ部６２とは、常にバネ４０により、噛み合う状態となる。
【００６１】
なお、図５（ａ）には、図４に示すように、雄ねじ部３１１と雌ねじ部６２とが噛み合った場合における、回動部３０、第１支持枠５１、切替部８０、支持アーム７０、支持脚９０、固定用ねじ４５などの位置関係を示す斜視図を示している。そして、操作キー２１、バネ４０、第２支持枠５２、支持脚カバー９５などを省略している。図５（ａ）に示すように、雄ねじ部３１１と雌ねじ部６２とが噛み合った場合には、上述したように、バネ４０により切替部８０の突起８３１は支軸８２１を支点として第１支持枠５１を図中矢印ａ方向（図面上方）に移動させることになる。
【００６２】
また、図５（ｂ）には、図４に示すように、雄ねじ部３１１と雌ねじ部６２とが噛み合った場合における、回動部３０、移動部６０、支持アーム７０、支持脚９０、固定用ねじ４５などの位置関係を示す斜視図を示している。図５（ｂ）に示すように、第１支持枠５１を図中矢印ｂ方向（図面上方）に移動させることにより、上述したように、第１支持枠５１に収容される移動部６０も図中矢印ｃ方向（図面上方）に移動することにより、移動部６０の雌ねじ部６２は、回動部３０の雄ねじ部３１１と噛み合うことになる。
【００６３】
図６、図７を参照して、回動部３０の雄ねじ部３１１と移動部６０の雌ねじ部６２との噛み合いを解除する動作に関して説明する。
図６に示すように、操作キー２１を押圧した場合、操作キー２１の案内孔２４と、案内孔２４に係合する係合突起３２１１との隙間分だけ図中矢印ａ方向（図面右側）に操作キー２１が移動する。この操作キー２１の移動により、鍔部２３に当接する切替部８０の切替部本体８１は図面右側に移動する。この切替部本体８１の移動により、切替部本体８１を押圧しているバネ４０が圧縮される。
【００６４】
また、この切替部本体８１の図面右側への移動により、切替部８０の突起８３１は、支軸８２１を支点として図中矢印ｂ方向（図面下方）に位置することになる。この動作に従動して第１支持枠５１は図中矢印ｃ方向（図面下方）に移動する。この第１支持枠５１の図面下方への移動により、第１支持枠５１に収容された移動部６０も移動する。なお、回動部３０は、第２支持枠５２の回動部用第１受孔５２９、回動部用第２受孔５３０により支持固定されているため、回動部３０の回動部本体３１の下側に位置する移動部６０が図中矢印ｄ方向（図面下方）に移動することにより、回動部本体３１の雄ねじ部３１１と移動部６０の雌ねじ部６２との噛み合いに隙間が発生することにより、噛み合いが解除されることになる。
【００６５】
雄ねじ部３１１と雌ねじ部６２との噛み合いが解除されることにより、支持脚９０は、第１回動片９２の回動孔９２１を支持固定する固定用ねじ４５を支点として、支持アーム７０に支持されながら、支持脚９０自体の自重により、図中矢印ｅ方向（図面下方）に回転する。なお、移動部６０は、支持脚９０の自重により、第１支持枠５１の移動部用スライド案内突起５１３に沿ってスライド用溝６３が移動することになる。なお、噛み合いが解除されて、移動部６０および支持脚９０が動作する場合、詳細には、支持脚９０の自重と支持脚カバー９５の自重とを加算した重量により、移動部６０および支持脚９０が動作することになる。
【００６６】
なお、図７（ａ）には、図６に示すように、雄ねじ部３１１と雌ねじ部６２との噛み合いを解除した場合における、回動部３０、第１支持枠５１、切替部８０、支持アーム７０、支持脚９０、固定用ねじ４５などの位置関係を示す斜視図を示している。図７（ａ）に示すように、操作キー２１の押圧により、雄ねじ部３１１と雌ねじ部６２との噛み合いを解除した場合には、上述したように、切替部８０の突起８３１は支軸８２１を支点として図中矢印ａ方向に移動し、第１支持枠５１を図中矢印ｂ方向（図面下方）に移動させることになる。
【００６７】
また、図７（ｂ）には、図６に示すように、雄ねじ部３１１と雌ねじ部６２との噛み合いを解除した場合における、回動部３０、移動部６０、支持アーム７０、支持脚９０、固定用ねじ４５などの位置関係を示す斜視図を示している。図７（ａ）に示すように、第１支持枠５１を図中矢印ｂ方向（図面下方）に移動させることにより、図７（ｂ）に示すように、第１支持枠５１に収容される移動部６０も図中矢印ｃ方向（図面下方）に移動することにより、移動部６０の雌ねじ部６２は、回動部３０の雄ねじ部３１１との噛み合いが外れ解除されることになる。
【００６８】
なお、操作キー２１の押圧を解除した（放した）場合には、上述したように、バネ４０の反発力により、操作キー２１が戻り、切替部８０が動作することにより、雄ねじ部３１１と雌ねじ部６２とが噛み合う状態となる。従って、図６の状態で、操作キー２１の押圧を解除した場合には、操作キー２１の押圧を解除した時点での位置（傾斜角度Ａ）で支持脚９０および移動部６０が固定されることになる。この動作に対応して、投写角度Ｂ（図１参照）も固定される。
【００６９】
なお、プロジェクタ１０の投写角度Ｂを調整する際のユーザおよび脚ユニット２の動作を再度説明する。
最初に、ユーザは、プロジェクタ１０の前面１１ｃ部を持ち上げ、操作キー２１を押圧すると、脚ユニット２の雄ねじ部３１１と雌ねじ部６２との噛み合いが解除され、上述したように、支持脚９０および支持脚カバー９５の自重で支持脚９０（支持脚カバー９５を含む）が固定用ねじ４５を支点に下方向に回転する。そして、ユーザの所望する角度になった位置で、操作キー２１の押圧を解除することにより、解除した時点での位置で、雄ねじ部３１１と雌ねじ部６２とが噛み合うことにより、支持脚９０（移動部６０を含む）が固定される。これにより、プロジェクタ１０の投写角度Ｂを大まかに決めることができる。
【００７０】
図８は、支持脚の開く角度（傾斜角度）の微調整の動作を示す斜視図である。なお、図８は、操作キー２１、回動部３０、移動部６０、支持アーム７０、支持脚９０、固定用ねじ４５などの位置関係を示す斜視図として示している。図４〜図８を参照して、操作キー２１の押圧を解除して、雄ねじ部３１１と雌ねじ部６２とが噛み合う状態とした場合の、支持脚９０の開く角度（傾斜角度Ａ）の微調整の動作に関して説明する。
【００７１】
プロジェクタ１０の投写角度Ｂを微調整するには、操作キー２１を回動（図８中の矢印で示す）し、脚ユニット２の傾斜角度Ａを微調整することでなされる。操作キー２１を回動する（例えば、図８に示す矢印で色付きの矢印ａ方向）ことにより、操作キー２１の案内孔２４に係合する係合突起３２１１を回動する（同様に、矢印ａ方向）。係合突起３２１１が回動することにより、回動部本体３１が、第２支持枠５２の回動部用第１受孔５２９および回動部用第２受孔５３０に支持されて回動する。この回動部本体３１が回動することで雄ねじ部３１１が回動する（矢印ｂ方向）。
【００７２】
雄ねじ部３１１が回動する（矢印ｂ方向）ことにより、雄ねじ部３１１に噛み合っている移動部６０の雌ねじ部６２が、雄ねじ部３１１に噛み合いながら移動する（矢印ｃ方向）。同時に、移動部６０のスライド用溝６３は第１支持枠５１の移動部用スライド案内突起５１３に沿いながら移動する。雌ねじ部６２が移動することにより、移動部６０が移動（同様に、矢印ｃ方向）し、移動部６０に係合する支持アーム７０が移動する。これにより、支持アーム７０に係合する支持脚９０が、回動孔９２１を支持固定する固定用ねじ４５を支点として回動を行う（矢印ｄ方向）。
【００７３】
なお、本実施形態では、操作キー２１を右方向に回転した場合（図８に示す矢印で色付きの矢印ａ方向に回転した場合）、支持脚９０は開く（傾斜角度Ａを拡大する）方向（投写角度Ｂを拡大する方向）に微調整できる仕様としている。また、逆に、操作キー２１を左方向に回転した場合（図８に示す矢印で色を付けない矢印方向に回転した場合）、前述したと逆の動作を行い、支持脚９０は閉じる（傾斜角度Ａを縮小する）方向（投写角度Ｂを縮小する方向）に微調整できる仕様としている。なお、操作キー２１が回動した量に対応して、支持脚９０も回動するため、支持脚９０の傾斜角度Ａの微調整（投写角度Ｂの微調整）を行うことができる。
【００７４】
従って、ユーザは、最初に、プロジェクタ１０の前面１１ｃ部を持ち上げ、操作キー２１を押圧することで、大まかな投写角度Ｂに設定（調整）した後、操作キー２１の押圧を解除して、操作キー２１を回動することにより、回動量に対応した投写角度Ｂの微調整を行うことができる。
【００７５】
なお、脚ユニット２を操作して投写角度Ｂを調整した後、プロジェクタ１０の投写角度Ｂを略０°にする場合（支持脚９０を閉じる場合）の操作方法を説明する。
最初に、ユーザは、プロジェクタ１０の前面１１ｃ部を把持して、操作キー２１を押圧し、その状態で、支持脚９０を把持して戻した後、操作キー２１の押圧を解除することにより、投写角度Ｂを略０°とする（支持脚９０を閉じる）ことができる。または、ユーザは、プロジェクタ１０の前面１１ｃ部を把持して、操作キー２１を押圧する。次に、ユーザは、操作キー２１を押圧したまま、プロジェクタ１０の前面１１ｃ部を設置面Ｓに向かって下げ、それ以上下がらなくなった位置で操作キー２１の押圧を解除する。この操作により投写角度Ｂを略０°にする（支持脚９０を閉じる）こともできる。
【００７６】
上述した実施形態によれば以下の効果が得られる。
（１）本実施形態における脚ユニット２は、操作キー２１の押圧により、雄ねじ部３１１と雌ねじ部６２との噛み合いを解除することで、支持脚９０の傾斜角度Ａ（投写角度Ｂ）の調整を行う。また、操作キー２１の回動により、雄ねじ部３１１と雌ねじ部６２とを噛み合わせることで、支持脚９０の傾斜角度Ａ（投写角度Ｂ）の微調整を行う。従って、脚ユニット２の支持脚９０に対して、傾斜角度Ａの調整（投写角度Ｂの調整）と、傾斜角度Ａ（投写角度Ｂ）の微調整とを、押圧および回動を行う操作キー２１により、同一の操作部材（操作キー２１）で操作することが可能となる。従って、調整操作の効率性を向上させた脚ユニット２が実現できる。
【００７７】
（２）本実施形態における脚ユニット２は、操作部２０としての操作キー２１と、回動部３０と、移動部６０と、支持アーム７０と、支持脚９０と、切替部８０と、支持部５０と、を有して構成されているため、無駄を省いた構成で脚ユニット２を実現でき、脚ユニット２を小型化することができる。
【００７８】
（３）本実施形態における脚ユニット２は、操作キー２１を押圧することにより、切替部８０が回動部３０の雄ねじ部３１１と移動部６０の雌ねじ部６２との噛み合いを解除する。そして、移動部６０が支持部５０に支持されて移動自在となる。そして、移動部６０の移動により、移動部６０に連結する支持アーム７０が回動し、支持アーム７０に連結する支持脚９０が回動することにより、容易に支持脚９０の傾斜角度Ａ（投写角度Ｂ）の調整が行える。また、脚ユニット２は、操作キー２１を回動することにより、切替部８０が回動部３０の雄ねじ部３１１と移動部６０の雌ねじ部６２とを噛み合わせる（非解除する）ため、操作キー２１の回動に従動して回動部３０が回動することにより移動部６０が移動する。そして、移動部６０に連結する支持アーム７０が回動し、支持アーム７０に連結する支持脚９０が回動することにより、支持脚９０の傾斜角度Ａ（投写角度Ｂ）の微調整が行える。従って、操作キー２１の押圧または回動により、効率的な傾斜角度Ａ（投写角度Ｂ）の調整が行える。
【００７９】
（４）本実施形態における脚ユニット２において、支持脚９０は、操作キー２１を押圧した場合に、自重により動作することにより、支持脚９０を動作させるための別の部材を有する必要がなくなるため、脚ユニット２をコンパクトに構成できる。
【００８０】
（５）本実施形態における脚ユニット２において、支持脚９０は、回動部３０の回動軸３０Ａと略水平となるため、回動部３０に対して傾斜角度Ａが略０°とすることができ、コンパクトな脚ユニット２を実現できる。また、このような脚ユニット２を、本実施形態のようにプロジェクタ１０の底面１１ｂに回動部３０の回動軸３０Ａが略平行となるように設置した場合には、プロジェクタ１０の底面１１ｂに対して支持脚９０を平行（傾斜角度Ａが略０°および投写角度Ｂが略０°）とすることができ、プロジェクタ１０をコンパクトな形態で保管することができる。また、上記形態とすることにより、プロジェクタ１０の高さ方向のスペースを抑えることができるため、プロジェクタ１０本体もコンパクトにすることができる。
【００８１】
（６）本実施形態における脚ユニット２は、操作キー２１の回動軸２１Ａと回動部３０の回動軸３０Ａとが略一致しているため、操作キー２１での操作を回動部３０や切替部８０に伝達する構成を簡易にすることができるため、脚ユニット２を更にコンパクトに構成できる。
【００８２】
（７）本実施形態におけるプロジェクタ１０は、投写レンズ１２を介して画像が投写される側に対応する筐体１１の底面１１ｂ側に脚ユニット２を備えることにより、プロジェクタ１０で画像を投写する際に、投写角度Ｂの調整および投写角度Ｂの微調整を行うことにより、上述したと同様の作用・効果を奏して投写角度Ｂを調整できる。特に、投写角度Ｂの量（範囲）がプロジェクタ１０の厚さに制限されず、所望の投写角度Ｂを確保できるプロジェクタ１０を実現できる。
【００８３】
（８）本実施形態におけるプロジェクタ１０は、画像が投写される側に対応する筐体１１の外面部となる前面１１ｃに、操作キー２１が突設して設置されることにより、ユーザの指先による操作キー２１の操作を容易にさせることができる。特に、投写角度Ｂの微調整を行う際の、操作キー２１を回動させる操作に対しては、従来に比べて格段に操作し易くさせることができる。従って、投写角度Ｂを調整する際に、調整操作の効率性を向上させると共に、指先による操作性を向上させるプロジェクタ１０を実現できる。
【００８４】
なお、上述した実施形態に限定されず、種々の変更や改良などを加えて実施することが可能である。変形例を以下に述べる。
【００８５】
（変形例１）前記実施形態の脚ユニット２は、プロジェクタ１０に適用して、ユーザの所望する投写角度Ｂに調整している。しかし、これに限られず、傾斜させて設置することで、利便性を向上させることができる電子機器に適用することでもよい。例えば、計測機器などに用いて、表示部が視認し易くなるように、ユーザの所望する傾斜角度に調整させることでもよい。また、その他の電子機器に適宜適用することでよい。
【００８６】
（変形例２）前記実施形態の脚ユニット２は、プロジェクタ１０の底面１１ｂで前面１１ｃ側に１つ使用している。しかし、これに限られず、底面１１ｂで前面１１ｃ側に２つ使用してもよい。
【００８７】
（変形例３）前記実施形態の脚ユニット２は、操作キー２１の回動軸２１Ａと回動部３０の回動軸３０Ａとが略一致している。しかし、これに限られず、回動軸２１Ａと回動軸３０Ａとは一致していなくてもよい。その場合には、操作キー２１の押圧を切替部８０に伝達させ、また、操作キー２１の回動を回動部３０に伝達させるための伝達機構を付加することで実施できる。これにより、例えば、前記実施形態のプロジェクタ１０において、支持脚９０の位置はそのままで、操作キー２１の位置を移動させられるため、プロジェクタ１０に対するデザインの自由度を向上させることができる。
【００８８】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【００８９】
【図１】実施形態に係る脚ユニットをプロジェクタに設置した形態を示す斜視図であり、（ａ）は脚ユニットを動作させて投写角度調整を行った状態を示す斜視図であり、（ｂ）は（ａ）の側面図であり、（ｃ）は脚ユニットを動作させて投写角度を略０°とした状態を示す斜視図。
【図２】脚ユニットの斜視図であり、（ａ）は支持脚を閉じた状態を示す図であり、（ｂ）は支持脚を開いた状態を示す図。
【図３】脚ユニットの分解斜視図。
【図４】回動部の雄ねじ部と移動部の雌ねじ部とが噛み合った状態を示す図であり、（ａ）は側面図であり、（ｂ）は側面断面図であり、（ｃ）は回動部と移動部との噛み合い部分を回動部の回動軸に垂直に切断した断面図。
【図５】回動部の雄ねじ部と移動部の雌ねじ部とが噛み合った状態の主要部の状態を示す斜視図であり、（ａ）は回動部、第１支持枠、切替部、支持アーム、支持脚などを示す斜視図であり、（ｂ）は回動部、移動部、支持アーム、支持脚などを示す斜視図。
【図６】回動部の雄ねじ部と移動部の雌ねじ部との噛み合いを解除した状態を示す図であり、（ａ）は側面図であり、（ｂ）は側面断面図であり、（ｃ）は回動部と移動部との噛み合いを解除した部分を回動部の回動軸に垂直に切断した断面図。
【図７】回動部の雄ねじ部と移動部の雌ねじ部との噛み合いを解除した状態の主要部の状態を示す斜視図であり、（ａ）は回動部、第１支持枠、切替部、支持アーム、支持脚などを示す斜視図であり、（ｂ）は回動部、移動部、支持アーム、支持脚などを示す斜視図。
【図８】支持脚の開く角度（傾斜角度）の微調整の動作を示す斜視図。
【符号の説明】
【００９０】
２…脚ユニット、１０…プロジェクタ、１１ｂ…底面、１１ｃ…前面、１２…投写レンズ、２０…操作部、２１…操作キー、２１Ａ…回動軸、２４…案内孔、３０…回動部、３０Ａ…回動軸、４０…バネ、４５…固定用ねじ、５０…支持部、５１…第１支持枠、５２…第２支持枠、６０…移動部、６２…雌ねじ部、６３…スライド用溝、７０…支持アーム、８０…切替部、９０…支持脚、９５…支持脚カバー、３１１…雄ねじ部、３１２…第１係合部、３１３…第２係合部、５２８…支軸用孔、５２９…回動部用第１受孔、５３０…回動部用第２受孔、８２１…支軸、３２１１…係合突起。
【図１】
0005061856.tif 000002
【図２】
0005061856.tif 000003
【図３】
0005061856.tif 000004
【図４】
0005061856.tif 000005
【図５】
0005061856.tif 000006
【図６】
0005061856.tif 000007
【図７】
0005061856.tif 000008
【図８】
0005061856.tif 000009